Podtech/llm-jp-corpus-v4-ja_patent huggingface dataset:
(57)【要約】【課題】  鉄塔の上など足場が不安定な場所において、工事の進捗状況などを収録するカメラ撮影を一人で行うことができるようにヘルメットに装着する治具の提供。【解決手段】  ヘルメット２に装着するクリップ３と、記録板４を保持するパイプで伸縮型の支持棒５と、その支持棒５の先端に取付けて記録板４を挾持するクリップ３と、これらを継ぎ合わせる玉継手６とにより構成され、支持棒５を任意の平面内で傾斜自由に回動させるとともに支持棒５の長さを自由に調節することによって記録板４の配置位置を容易に設定することができるヘルメット２と着脱自在に係合させてなる治具１。【選択図】  図１
0003115268.tif 000002
【実用新案登録請求の範囲】
【請求項１】
カメラ撮影時にヘルメットに着脱自在に係合させてなる治具であって、治具をヘルメットに取り付けるクリップと、記録板を保持する伸縮型の支持棒と、支持棒の先端に取り付けて記録板を挾持するクリップとを玉継手によって継ぎ合わせてなることを特徴とするヘルメット装着用治具。
【考案の詳細な説明】
【技術分野】
【０００１】  この考案は、ヘルメットに着脱自在に係合する治具に係わり、詳しくは、作業員が、鉄塔上などの高所で足元が不安定な場所において、現場の状況を撮影するときに他人の手を煩わすことなく、作業の記録板を入れた現場状況写真を一人で撮影するためにヘルメットに装着する治具に関する。
【背景技術】
【０００２】  従来、高所作業現場において、作業員が、その状況などを記録するために写真撮影する場合は、一般的に、カメラを操作する人と、その作業の概要（件名、場所、期日、内容）を記録した看板を保持し、これを掲示する役割の人とが協力してその仕事を行っている。【０００３】  しかし、鉄塔上など高所で写真撮影する場合は、足元が不安定かつ風などの影響を受けるため、掲示する看板を保持する作業員が看板を保持すること自体が難しかったので、その仕事を二人が分担して行うことも容易ではなかった。【０００４】  そのため、高所において看板等を掲示した状態で現場の状況を一括同時撮影することをとり止め、搭上で撮影した状況写真に別途、作業概要を記述したラベルを貼付していた。
【考案の開示】
【考案が解決しようとする課題】
【０００５】  本考案は、上記の事情に鑑み、人の手を煩わすことなく、一人で記録板（小看板）を入れた現場状況写真を撮ることができる簡便な方法を提供するためになされたものである。【０００６】  そのため、作業員のヘルメットに装着できる装置であって、ヘルメットに簡便かつ確実に着脱して操作することができる機能を有する支持棒の先端に記録板を挾着してなる治具で、掲示した記録板や支持棒が風などによって変動することなく安定した状態で写真撮影することができることを目的としている。
【課題を解決するための手段】
【０００７】  上記の課題を解決するため、簡便に着脱、操作することができる構造として、被写体との焦点距離の調整を容易にする伸縮型の支持棒（パイプ径５〜９ｍｍ、２本継ぎ）を使用し、その両端にヘルメット装着用の目玉クリップ（クリップという）と、はがき大の記録板を挾持するクリップとを玉継手により継ぎ合わせることを見いだし、この知見に基づいて治具を構成の結果、支持棒と記録板を任意の平面内で自由に傾斜、回動させることと支持棒の長さを自由に調節することと記録板の配置を容易に設定することを可能とした。
【考案の効果】
【０００８】  上述のように、本考案の治具を使用することにより、従来、二人で行っていた写真撮影という仕事（役割）を一人で熟すことができるので、作業の合理化、省力化に繋がる。【０００９】  高所で看板を保持、掲示する仕事がなくなるので撮影作業の安全性が向上する。【００１０】  治具が軽量で、持ち運び、取扱いも簡単なので作業性に富んでいる。【００１１】  既製品により治具を構成するので製作価格は低廉である。
【考案を実施するための形態】
【００１２】  本考案は、ヘルメット着用の作業員が高所現場でカメラ撮影する時にヘルメットに着脱自在に係合させて容易に取扱い操作することができる軽量かつ簡易構造の治具であって、伸縮型の支持棒とクリップと玉継手によりて構成されているため、支持棒の長さと方向ならびに記録板の設定位置などを容易に調節することができるよう構成されている。
【実施例】
【００１３】  以下、添付図面によって実施例を説明する。図１は、本考案の治具の実施形態をに示すもので、治具１の支持棒５は、図３のように伸縮型の長さＬが３０〜６０ｍｍのパイプを使用し、支持棒５をヘルメット２に装着する金具と支持棒５の先端に取り付けて記録板４を挾持して保持する金具には、図２のように、クリップ３の挾着部３１の先端に対物保護のためにゴムシ−ト８を被嵌したクリップ３を使用し、支持棒５とクリップ３とを接続する金具には、図４のような玉継手６を使用する。そして、玉継手のクリップへの取付けは、クリップの把手部と玉継手との間にゴムシ−トを当着してねじ留めする。【００１４】  また、図５のように、クリップ３と支持棒５との繼ぎ合わせは、クリップの把手３０に玉継手６を取付け、把手面と玉とが球面対偶する構造とするため、支持棒５の先端部の球体にねじ孔を螺刻し、そのねじ孔に支持棒５に植込んだボルト７を螺着して継ぎ合わせる。【００１５】  さらに、記録板４は、図６のように、“はがき”大の板で、マジックペンを使用して記入、消去できる無反射性の白色板を使用し、予め作業概況を掲示するための項目を記載しておく、また、その裏面は、白墨が使用できるよう白抜き文字入りの黒色板とする。
【産業上の利用可能性】
【００１６】  本考案の治具は、記録板を入れた写真を一人で撮影をするときにヘルメットに装着する治具であるが、この治具を日常生活面において、賀正、入学、卒業、誕生日など記念写真を撮るときにカメラの三脚台に装着し、○○記念、とき、ところなどのタイトルを記載したタブレットを掲示してセルフタイマ−装置撮影するときにも利用することができる。
【図面の簡単な説明】
【００１７】
【図１】  本考案の治具の実施形態を示す斜視図である。
【図２】  クリップの形状を示す図である。（ａ）  正面図。（ｂ）  側面図。
【図３】  伸縮型の支持棒の形状を示す図である。
【図４】  玉継手の形状と構成を示す側面図である。
【図５】  支持棒と玉継手との取付け形態を示す斜視図である。
【図６】  記録板の形状と掲示項目を示す平面図である。
【符号の説明】
【００１８】１    治具（装着金具）
２    ヘルメット（保護帽）
３    クリップ（目玉ルリップ）
３０  把手部（つまみ）
３１  挟着部
４    記録板（小看板）
５    支持棒（パイプ、伸縮型）
６    玉継手（ボ−ルソケットジョイント）
７    植込みボルト（スタッドボルト）
８    ゴムシ−ト
Ｌ    長さ
【図１】
0003115268.tif 000003
【図２】
0003115268.tif 000004
【図３】
0003115268.tif 000005
【図４】
0003115268.tif 000006
【図５】
0003115268.tif 000007
【図６】
0003115268.tif 000008
(57)【要約】      （修正有）【課題】タオルで頭髪を全部包むには、端をしっかり引っ張り落ちてこないようにするのは困難であった。又朝シャンの時、濡れた髪を拭くには頭を下げて前かがみになって拭かなければならず不便であったので改善した。【解決手段】スポーツタオルの長い方の１方に輪を作り、中にゴム２を通しシャーリング状にする。輪の両端にスナップかホック３をつけゴムの両端をつなぐことができるようにする。【選択図】図３
0003115264.tif 000002
【実用新案登録請求の範囲】
【請求項１】
スポーツタオルの長い方の１方にゴムを通し、その両端にスナップをつけたスポーツタオル。
【考案の詳細な説明】
【考案の詳細な説明】
【考案が解決しようとする課題】
【０００１】  従来のスポーツタオルは、スポーツの時、肩にかけて汗を拭くための物であるが、シャワーや入浴時、頭髪を全部包むために丁度よいサイズである。しかし、頭髪を全部包むには、端をしっかり引っ張り生え際でスポーツタオルが落ちてこないようにするのは困難であった。又朝シャンの時、濡れた髪を拭くには頭を下げて前かがみになって拭かなければならず不便であった。
【課題を解決するための手段】
【０００２】  上記目的を達成するために，スポーツタオルの長い方の１方に輪を作り、中にゴムを通しシャーリング状にする。輪の両端にスナップかホックをつけゴムの両端をつなぐことができるようにする。
【考案の効果】
【０００３】本考案はスポーツタオルのゴム部分を首に巻きスナップを止め、ゴム部分を生え際まで持ち上げるだけで髪を持ち上げることができる。髪を巻いて固定するにはスポーツタオルを持ち上げ端をゴム部分に挟むことで、簡単にスポーツタオルで髪を覆い、巻いて固定することができる。シャンプーの時、ゴム部分を首に巻きスナップを止め化粧ケープとして使用する。次に、濡れた髪を拭くにも頭を下げて前かがみになる必要はなく、ゴム部分を生え際まで持ち上げるだけで、手早く髪を拭く事ができる。シャワーや入浴時、シャワーキャップの代わりになる。シャワーや入浴後、スナップを外し長くしたスポーツタオルで充分体が拭ける。
【図面の簡単な説明】
【図１】スポーツタオルのゴムを伸ばした時の平面図
【図２】スポーツタオルの断面図
【図３】スポーツタオルの斜視図
【図４】化粧ケープとしてのスポーツタオルの斜視図
【図５】スポーツタオルのゴム部分を生え際に移動した時の斜視図
【図６】スポーツタオルの頭に巻いた時の斜視図
【符号の説明】
１  スポーツタオル
２  ゴム
３  スナップ
【図１】
0003115264.tif 000003
【図２】
0003115264.tif 000004
【図３】
0003115264.tif 000005
【図４】
0003115264.tif 000006
【図５】
0003115264.tif 000007
【図６】
0003115264.tif 000008
(57)【要約】      （修正有）【課題】商品であるカミソリの廃棄時に包装物の面に危険物である旨の文字を表示する煩わしい作業を省くこととともに、用済カミソリ入れとして再利用する。【解決手段】商品であるカミソリの包装物の表面に危険物である旨の文字が隠蔽物によって隠されており、カミソリの廃棄時に当該物を取除くことで、煩わしい作業を省く事とともに、不法投棄を防止することができる。【選択図】図１
0003115218.tif 000002
【実用新案登録請求の範囲】
【請求項１】
商品時に使用された包装物及び用済カミソリの廃棄時に当該物に危険物である旨の表示を個々がする煩わしい作業を省くことができるカミソリ入れ。
【考案の詳細な説明】
【技術分野】
【０００１】  本考案は危険物である旨の表現がされている用済カミソリ入れに関する。【０００２】  近来用済カミソリのような危険物を廃棄するさいに、当該物を厚紙等で包み、危険物類等と表示したものを貼付、所定のごみ置場等にだすように‥‥条例により義務付られている。【０００３】  カミソリのような、危険物等は一般焼却屑内に混入させてしまう事が多い。
〔考案の開示〕
〔考案が解決しようとする課題〕【０００４】  危険‥‥の煩わしい作業を省く事を目的とするものである。
〔課題を解決するための手段〕【０００５】  本考案は、１に３キケン用済カミソリ入れ（商願２００５−１８５０６）の３文字が２隠蔽物によって隠されている。
〔考案の効果〕【０００６】  以下、本考案の実地の形態を図１〜図６に基ついて説明する。【０００７】  図においては、１は、本体で、３キケン‥‥の文字が２で隠されて表示されている。【０００８】４は、蓋体で、１と一体化されている
５は、蓋体４の一部で開き止め【０００９】６は、カミソリ７の収納スペース【００１０】７は、カミソリ【００１１】７Ａは、商品時７の正常な並べかた【００１２】７Ｂは、用済７の逆に挿入した例
〔産業上の利用可能性〕【００１３】本考案は、危険‥‥の煩わしい作業を省くことができる。【００１４】不法投棄を防止することができる。
【図面の簡単な説明】
【００１５】  〔図１〕
本考案の第一実施例を示す正面図
〔図２〕
部分断面のある下面図
〔図３〕
部分断面のある背面図
〔図４〕
左側面図
〔図５〕
正面図の２を剥がしかけた参考図
〔図６〕
参考例の部分断面のある背面図
〔図７〕
第二実施例を示す
〔図８〕
第二実施例を示す
〔図９〕
第三実施例を示す
〔図１０〕
第三実施例を示す
〔図１１〕
第四実施例を示す
【符号の説明】
【００１６】  １  本体
２  隠蔽物
３  （キケン‥‥）の表示文字
４  蓋体
５  フック
６  収納スペース
７  カミソリ
８  （キケン‥‥）の表示文字のない本体
９  （キケン‥‥）の文字をつけるスペース
１０  別体の（キケン‥‥）の表示物で８につける
１１  一部の表示文字ある、本体
１２  １３をつけるためのスペース
１３  別体の（危険‥‥）の表示物で１２につける
１４  表示文字の一部を隠蔽するもの
【図１】
0003115218.tif 000003
【図２】
0003115218.tif 000004
【図３】
0003115218.tif 000005
【図４】
0003115218.tif 000006
【図５】
0003115218.tif 000007
【図６】
0003115218.tif 000008
【図７】
0003115218.tif 000009
【図８】
0003115218.tif 000010
【図９】
0003115218.tif 000011
【図１０】
0003115218.tif 000012
【図１１】
0003115218.tif 000013
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
カミソリ包装物に、予めキケン用済カミソリ入れ、と表現された文字が剥離自在に隠蔽されている表示部を有することを特徴とするカミソリいれ。
【手続補正２】
【補正対象書類名】明細書
【補正対象項目名】全文
【補正方法】変更
【補正の内容】
〔書類名〕    明細書
〔考案の名称〕危険と表示のあるカミソリ入れ
〔技術分野〕
〔０００１〕
本考案は危険物である旨の表現がされている用済カミソリ入れに関する。
〔０００２〕
近来用済カミソリのような危険物を廃棄するさいに、当該物を厚紙等で包み、危険物類等と表示したものを貼付、所定のごみ置場等にだすように条例により義務付られている。
〔０００３〕
カミソリのような、危険物等は一般焼却屑内に混入させてしまう事が多い。
〔考案の開示〕
〔考案が解決しようとする課題〕
〔０００４〕
危険物類と表示したものを貼付る、煩わしい作業を省くものである。
〔課題を解決するための手段〕
〔０００５〕
本考案は、１に３「キケン用済カミソリ入れ」（商願２００５−１８５０６）の文字が２剥離自在な隠蔽物によって隠されて表示されている。
〔考案の効果〕
〔０００６〕
以下、本考案の実地の形態を図１〜図６に基ついて説明する。
〔０００７〕
図においては、１は本体で、３「キケン用済カミソリ入れ」の文字が２剥離自在な隠蔽物によって隠されて表示されている。
〔０００８〕
４は、蓋体で、１と一体化されている
５は、蓋体４の一部で開き止め
〔０００９〕
６は、カミソリ７の収納スペース
〔００１０〕
７は、カミソリ
〔００１１〕
７Ａは、商品時７の正常な並べかた
〔００１２〕
７Ｂは、用済７の逆に挿入した例
〔産業上の利用可能性〕
〔００１３〕
危険物類と表示したものを貼付る、煩わしい作業を省くものである。
〔００１４〕
当該物の不法投棄の防止につながる。
〔００１５〕
カミソリ包装物（１  本体）の有効利用
〔図面の簡単な説明〕
〔００１６〕
〔図１〕
本考案の第一実施例を示す正面図
〔図２〕
部分断面のある下面図
〔図３〕
部分断面のある背面図
〔図４〕
左側面図
〔図５〕
正面図の２を一部剥がしかけた参考図
〔図６〕
参考例の部分断面のある背面図
〔図７〕
第二実施例を示す
〔図８〕
第二実施例を示す
〔図９〕
第三実施例を示す
〔図１０〕
第三実施例を示す
〔図１１〕
第四実施例を示す
〔符号の説明〕
〔００１７〕
１  本体
２  剥離自在な隠蔽物
３  「キケン‥‥」の隠蔽されている表示文字
４  蓋体
５  フック
６  収納スペース
７  カミソリ
８  「キケン‥‥」の表示文字のない本体の参考例
９  「キケン‥‥」の表示文字をつけるスペース
１０  別体の「キケン‥‥」の表示物で８につける
１１  一部の表示文字ある、本体の参考例
１２  １３をつけるためのスペース
１３  別体の「危険‥‥」の表示物で１２につける
１４  剥離自在な隠蔽物
(57)【要約】      （修正有）【課題】安価に誰でも簡単に電池を交換できる。【解決手段】腕時計の本体１、ねじを巻く所２、時計のベルト３、ベルトの穴４、時間の表示部分５、蓋を指で持ち上げて上に開くようになっている出っ張り６、乾電池を入れる所７から構成される。腕時計本体の蓋は出張っている部分を指で持ち上げて上に開くようになっていて単３電池、又は単４電池が入るようになっている。【選択図】図１
0003115220.tif 000002
【実用新案登録請求の範囲】
【請求項１】
腕時計本体に乾電池１本を入れて自分で交換することが出来る乾電池腕時計
【考案の詳細な説明】
【技術分野】
【０００１】本考案は、腕時計本体に乾電池一本を入れた、腕時計に関するものである。
〔背景技術〕【０００２】電池交換をする時にウォッチ用酸化銀電池を使っていた。
〔考案の開示〕
〔考案が解決しようとする課題〕【０００３】ウォッチ用酸化銀電池は交換してもらう時に値段も高く、自分でふたを開けて交換することが出来ない。
〔課題を解決するための手段〕【０００４】  本考案は、腕時計本体に乾電池１本を入れて使うことにより電池交換を自分で出来るようになる。また、電池交換をしてもらう時に千円近くしていた物が６本入りの単３電池税込み価格百五円の店もあるので、１本約十七、五円の値段で交換できるようになり前述の問題点を解決している。
〔考案の効果〕【０００５】上述のように、本考案の乾電池腕時計は電池を交換する時に誰にでも簡単に電池を交換することが出来るようになる。また、電池を交換する時に安い値段で買うことができて便利である。
〔考案の実施するための最良の形態〕【０００６】腕時計本体の蓋は出張っている部分を指で持ち上げて上に開くようになっていて単３電池、又は単４電池が入るようになっている。
〔実施例〕【０００７】  以下、添付図面に従って一実施例を説明する。１は腕時計の本体、２はねじを巻く所、３は時計のベルト、４はベルトの穴、５は時間の表示部分、６は蓋を指で持ち上げて上に開くようになっている出っ張り、７は乾電池を入れる所である。
【図面の簡単な説明】
【０００８】〔図１〕本考案の乾電池腕時計の一実施例を示す正面図である。
【符号の説明】
【０００９】１  腕時計の本体
２  ねじを巻く所
３  時計のベルト
４  ベルトの穴
５  時間の表示部分
６  蓋を指で持ち上げて上に開くようになっている出っ張り蓋に付いている。蓋と一体化している。
７  乾電池を入れる所
【図１】
0003115220.tif 000003
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
［書類名］実用新案登録請求の範囲
［請求項１］
腕時計の下に乾電池１本を入れた乾電池腕時計
(57)【要約】【課題】    本考案は、手の支えなく仰臥状態で楽に読書できる書見台である。構造が簡単で容易に製品化でき、実用性ある書見台を提供するものである。【解決手段】  支柱台は胴体の曲線にあわせる構造にし、本を受ける透明版と支柱台を自在管でつなぐことで間隔の調整や本の傾きなどの調整が容易にできる。支柱台に照明器具を設置することで、光の反射をおさえ、よりよい読書環境が得られる。【選択図】  図５
0003115219.tif 000002
【実用新案登録請求の範囲】
【請求項１】
本考案の仰臥書見台の支柱台は人の胴体の上に乗せて固定するものである。支柱台の形状は胴体あわせて湾曲させることが特徴である。
【請求項２】
本考案の支柱台と透明版との連結は自在管を使用し、自在管を曲げ伸ばしすることで、本と目との距離を調整し、本の傾きを調整するのが特徴である。
【請求項３】
本考案は、支柱台に自在管を取り付け、自在管をアームとして照明器具を設置するものである。斜め横に光源を置くのが特徴である。
【考案の詳細な説明】
【技術分野】
【０００１】  本考案は、仰臥の姿勢で本を手で支えることなく楽に読書できる装置に関する。
【背景技術】
【０００２】  従来の書見台の支柱台は、人体の頭の後と両脇に置くのがある。また、本と目の間隔調整を留め金などで調整している。照明装置は頭の後ろに設置されている。
【特許文献１】  特開平１１−１０３９４０  公報
【特許文献２】  実登第３００４９１４号    公報
【考案の開示】
【考案が解決しようとする課題】
【０００３】  書見台を常設することは、寝起きする時に邪魔で不便である。支柱台を胴体の上に乗せることで、書見台を設置及び片付け及び持ち運びも簡単にできるように解決しようとするものである。また、読書するときは、本と目との距離と照明が大事である。その距離の調整と証明を受ける本の傾きの調整を、自在管を使用することで解決しようとするものでる。照明器具を支柱台の斜め横に設置することで、反射を防ぎ、目に優しい照明ができ、読書の場所の範囲も大きくなる。
【課題を解決するための手段】
【０００４】  本考案は、支柱台を体の胴体の曲線に合わせた構造にする。本を載せても倒れないようにバランスを考える。また、本を受ける透明版と支柱台とを自在管でつなぐことで、自在管を曲げ伸ばしすることで、本と目との間隔を簡単に調整ができ、本の傾きも容易に調整できる。支柱台の横棒に照明器具を設置し、斜め横から本を照明することで、透明板の光の反射をおさえ、目に優しい照明が得られる。
【考案の効果】
【０００５】  上述のように、胴体に仰臥書見台を固定し、自在管を曲げ伸ばして、目と本との距離を調整し、証明の度合いも調整できる。照明装置を斜め横に置くことで目に優しい照明が得られ、都合のよい読書の環境ができる。
【考案の実施するための最良の形態】
【０００６】  上述のように、支柱台は体の胴体に合わせて湾曲な形状の構造にする。支柱台の一部に自在管を接続・取り外しできるつなぎ手をつける。本を乗せる透明版の下方に自在管を連結するつなぎ手をつける。自在管はＳ字型に曲げて本の重心が支柱台の中心になるようにする。照明装置は自在管をアームにして支柱台の横棒に設置する。自在管の折り曲げで照明の角度を調整し、透明版の光の反射をおさえる。
【実施例】
【０００７】  以下、添付図面に従って実施例を説明する。図１は金属棒か耐久性プラスチック等適宜素材を使用する。上下の棒を胴体にあうように湾曲させる。上の棒の中心部に自在管をつなぐつなぎ手をつける。横棒には照明装置を取り付けるつなぎ手をつける。【０００８】  図２は、支柱台と透明版とを連結する自在管である。両端につなぎ手をつける。本を支持、本の重心を支柱台の中心へ移動させる機能を持つ、また、本と目との距離を調整、本の傾きを調整する機能も併せ持っている。【０００９】  図３は、照明装置である。アームは自在管で照明の角度を調整する。【００１０】  図４は、本を受ける透明版である。下方の中央に自在管と連結するつなぎ手をつける。本が滑り落ちないように滑り止めの柵を固定する。透明版を通して下のほうから読書することになる。【００１１】  図５は、上記の工程で完成した考案の仰臥読書書見台は、書見台を容易に設置及び片づけができる。自在管を曲げたり伸ばしたりすることで本と目のとの間隔の調整が容易にでき、本の向きを変えることもできる。支柱台と透明版はつなぎ手で離脱ができ、固定化も可能である。照明器具を支柱台に設置することで、読書場所の移動も容易にできる。
【図面の簡単な説明】
【００１２】
【図１】本考案の支柱台の構造を示す図である。
【図２】本考案の支柱台と透明版をつなぐ自在管の構造を示す図である。
【図３】照明器具のアームと光源
【図４】本考案の透明版の構造を示す図である。
【図５】完成品を示す図である。
【符号の説明】
【００１３】１・・・支柱台
２・・・自在管
３・・・照明装置
４・・・透明版
５・・・つなぎ手
６・・・滑り止め
【図１】
0003115219.tif 000003
【図２】
0003115219.tif 000004
【図３】
0003115219.tif 000005
【図４】
0003115219.tif 000006
【図５】
0003115219.tif 000007
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
本を載せるための透明版と、前記透明版に連結し人の胴体に乗せて固定できるよう形状を胴体にあわせて湾曲可能とした支柱台と、前記支柱台と前記透明版とを曲げ伸ばし自在に連結することで透明版と人の胴体との距離及び傾きを調整可能とした自在管と、前記支柱台に別の自在管にて取り付け前記透明版を下面より照らすことを可能とした照明器具を有することを特徴とする仰臥読書書見台。
(57)【要約】【課題】        不意にクリップを必要とする時、アクセサリーの一部として携帯保持しているクリップを提供する。【解決手段】    ２つ以上のクリップをチェーンや紐等の一端に連結し、他端をナスかんや丸かんのような取り外し可能な金具に連結させ、ネックレスやブローチ、あるいはキーホルダーやストラップ等のアクセサリーやファスナー金具に装着させる。【選択図】      図１
0003115215.tif 000002
【実用新案登録請求の範囲】
【請求項１】
２個以上のクリップをチェーンや紐等の一端に連結し、該チェーンや紐の他端をナスかんや丸かんのような取り外し可能な留め具に連結し、ネックレスやブローチあるいはキーホルダーやストラップ、ファスナー金具等に装着できるクリップ付き吊具
【考案の詳細な説明】
【技術分野】
【０００１】  本考案はアクセサリーの機能を持つクリップに関するものである。
【背景技術】
【０００２】  従来クリップは実用的使用が主目的で、保管場所が決められていて必用な時には、その  場所まで取りに行くのが通常である。
【考案の開示】
【考案が解決しようとする課題】
【０００３】  上記のような従来のクリップには次のような課題があった。
１  不意にクリップを必用としても手元にない場合が多く、あらかじめ保持しているか  、収納場所に取りに行くか、新たに購入するしか無かった。
２  クリップが不要になった時も、収納場所に戻すまで保持しなければならないわずら  わしさがあった。
３  クリップは単品よりセットになっているときが多く、余分に購入せざるを得ない無  駄があった。
そこで、本考案は携帯用でしかもアクセサリー的な感覚で使用でき、多くの機能を備えた斬新なクリップ付き吊具を提供する。
【課題を解決するための手段】
【０００４】  ２個以上のクリップをチェーンや紐等の一端に連結し、該チェーンや紐の他端を、ナスかんや丸かんのような取り外し可能な留め具で、ネックレスやブローチあるいはキーホルダーやストラップ、ファスナー金具等に装着させ、アクセサリーとしての機能を持つクリップ付き吊具である。
尚、本考案でいうクリップの一例は図１〜５に示すような構造をし、物を挟む機能を持ったものをいう。
更にアクセサリー用とは実用性のみを強調した吊具だけでなく，女性や児童，若者等が好む装飾性ある吊具である。
【考案の効果】
【０００５】  本考案のアクセサリー用クリップ付き吊具は、あらかじめアクセサリーとして、身体、衣服、小物等に取り付けてあるため、不意に使用したい時、ナスかん、丸かん等を開け、アクセサリー部から切り離してクリップとして利用する。もしくはアクセサリーと共に利用する場合もある。
例えばストールやマフラーのを止めれば落下防止、形状保持ができる。又、幼児を抱いたり，おぶったりした時に、脱がせた履物を吊り下げたり、集会所等で脱いだ自分の履物に目印に付けることができる。あるいは手袋や赤子のおしゃぶりなどを外した時の保持に便利で、ナプキン止めや簡易エプロンもありあわせの布等があれば止められる。肩上げ、袖上げ、裾上げも即座に止めることができる。
【考案を実施するための最良の形態】
【０００６】    以下本考案の第１実施例を図１に基づき説明する。
２個のクリップ（１）をチェーン（２１）の一端に連結し、他端をナスかん（３１）に連結することで、取り外し可能にしたアクセサリー用クリップ付き吊具本体である。
【実施例】
【０００７】    図２は第２実施例である。
本実施例はクリップ（１）を紐（２２）の一端に連結し、他端を丸かん（３２）に連結し、ネックレス（４１）に装着したアクセサリー用クリップ付き吊具である。【０００８】    図３は第３実施例である。
本実施例はクリップ（１）を  チェーン（２１）の一端に連結し、他端をナスかん（３１）に連結しブローチ（４２）に装着したアクセサリー用クリップ付き吊具である。【０００９】    図４は第４実施例である。
本実施例は２個のクリップ（１）を紐（２２）の一端に連結し、他端をナスかん（３１）に連結し、ストラップ（４３）に装着したアクセサリー用クリップ付き吊具である。【００１０】    図５は第５実施例である。
本実施例は３個のクリップ（１）をチェーン（２１）の一端に連結し、他端をナスかん（３１）に連結しキーホルダーに装着したアクセサリー用クリップ付き吊具である。【００１１】    図６は第６実施例である。
本実施例は４個のクリップ（１）を２個ずつチェーン（２１）の一端に連結し他端をナスかん（３１）でに連結し、ブローチ（４２）に装着したアクセサリー用クリップ付き吊具である。
【図面の簡単な説明】
【００１２】
【図１】  本考案の第１実施例を示す斜視図である。
【図２】  本考案の第２実施例を示す斜視図である。
【図３】  本考案の第３実施例を示す斜視図である。
【図４】  本考案の第４実施例を示す斜視図である。
【図５】  本考案の第５実施例を示す斜視図である。
【図６】  本考案の第６実施例を示す斜視図である。
【符号の説明】
【００１３】  １            クリップ
２１          チェーン
２２          紐
３１          ナスかん
３２          丸かん
４１          ネックレス
４２          ブローチ
４３          ストラップ
４４          キーホルダー
【図１】
0003115215.tif 000003
【図３】
0003115215.tif 000004
【図４】
0003115215.tif 000005
【手続補正書】
【提出日】平成17年7月6日(2005.7.6)
【手続補正１】
【補正対象書類名】図面
【補正対象項目名】全図
【補正方法】変更
【補正の内容】
【図１】
0003115215.tif 000006
【図２】
0003115215.tif 000007
【図３】
0003115215.tif 000008
【図４】
0003115215.tif 000009
【図５】
0003115215.tif 000010
【図６】
0003115215.tif 000011
(57)【要約】【課題】電気炊飯器の蓋の蒸気口から排出される蒸気を、横方向に排出させることで電気炊飯器を収納棚内に置いたまま使用することで上棚板を濡らさないようにする。【解決手段】蒸気口キャップ本体１を電気炊飯器の蓋の蒸気口を覆うように設置することで、蒸気口から排出される蒸気が水滴受け底ブタ４に設けられている開口部６から蒸気口キャップ内部へ吹き込まれ排出口３から横方向に排出される構成とする。【選択図】図２
0003115216.tif 000002
【実用新案登録請求の範囲】
【請求項１】
電気炊飯器の蓋の蒸気口を覆う蒸気口キャップであって、蒸気口キャップの底面には蒸気を蒸気口キャップ内部に取り込む開口部６を備え、蒸気口キャップを電気炊飯器の蓋の蒸気口に開口部６が接するように覆い設置し蒸気口キャップ内部に吹き込まれる蒸気は蒸気口キャップ本体の側面に排出口３を設け排出する。
【請求項２】
上記排出口３は円筒形状とし、口径はスポンジブラシ等での洗浄ができる太さとし排出口の外に水滴が落ちないよう斜め上向きとし、長さがあることを特徴とする。
【請求項３】
上記蒸気口キャップの底面には、水滴受け底ブタ４を設けることを特徴とする。
【請求項４】
上記水滴受け底ブタ４は、電気炊飯器の蓋の蒸気口から排出される蒸気を蒸気口キャップ内部に取り込むための開口部６を設け、水滴受け底ブタ４は蒸気口キャップ２から取り外せることを特徴とする。
【請求項５】
蒸気口キャップは透明で耐熱合成樹脂材料により形成されることを特徴とする。
【請求項６】
蒸気口キャップは本体１に取っ手５を設けることを特徴とする。
【考案の詳細な説明】
【考案の詳細な説明】
【技術分野】
【０００１】本考案は電気炊飯器の蓋の蒸気口から排出される蒸気を横方向に排出させる蒸気口キャップに関する。
【背景技術】
【０００２】従来、電気炊飯器は蓋の蒸気口から蒸気が上向きに排出される構成になっている。
【考案の開示】
【考案が解決しようとする課題】
【０００３】このため電気炊飯器はレンジボード等の収納棚内に置かれ使用されるため蒸気口から排出される蒸気によって上棚板の同位置が常に水滴で濡れ、場合によってはカビが発生することもある。【０００４】したがって本考案の解決すべき技術的課題は電気炊飯器の蓋の蒸気口から排出される蒸気を横方向に排出されるようにすることである。
【課題を解決するための手段・効果】
【０００５】本考案に係る電気炊飯器の蒸気口キャップは上述の技術的課題を解決するため以下のように構成された電気炊飯器の蒸気口キャップで、蒸気口から排出される蒸気を横方向に排出させることを特徴としている。この蒸気口キャップは蒸気口を覆う容器であり、蒸気口キャップの側面には蒸気を排出させる円筒形状の排出口、底面には水滴受け底ブタを設けられ構成されている。
【０００６】蒸気口キャップは耐熱性の高い合成樹脂材料で形成され、透明にさせることを特徴とする。透明にすることで蒸気口キャップは電気炊飯器の蓋の蒸気口位置を確認し覆うことができる。
【０００７】上記構成において水滴受け底ブタには電気炊飯器の蓋の蒸気口から排出される蒸気を蒸気口キャップ内に取り込むための開口部が設けられ、蒸気はその開口部から蒸気口キャップ内部に吹き込み側面に設けられている排出口を通って横方向に排出される。
【０００８】上記構成において円筒形状の排出口は排出される蒸気が収納棚の上棚板に当たらない長さのあるものとし、排出口の外に水滴が垂れないよう斜め上向きとすることで、水滴は排出口内側の側面をつたい蒸気口キャップの水滴受け底ブタに流れ落ちるようにする。
【０００９】上記構成において水滴受け底ブタは蒸気口キャップと取りはずすことができることを特徴とする。
【００１０】上記構成において蒸気口キャップ本体に取っ手を設けられる。
【考案を実施するための最良の形態】
【００１１】以下に本考案の実施形態について図１から図３を参照して詳細に説明する。【００１２】図１は蒸気口キャップ本体１の縦断面図、図２は下方向からの斜視図、図３は平面図である。蒸気口キャップ本体１と水滴受け底ブタ４は耐熱温度約１２０℃から１４０℃のプラスチック材料で透明で形成されている。【００１３】蒸気口キャップ２は舟形等の長方形が好ましい。電気炊飯器は横幅が縦幅より狭く蓋は外側に向けて丸みを描く形になっていることから蒸気口を覆ったとき蓋との間に隙間ができない。【００１４】排出口３は円筒形状で、口径はスポンジブラシ等で洗浄できる太さとする。これにより排出口内部を清潔に保つことができる。また排出口３を斜め上向きとすることで水滴が排出口内部の側面をつたい水滴受け底ブタ４に落ちるようになっている。【００１５】水滴受け底ブタ４は電気炊飯器の蓋の蒸気口から排出される蒸気を蒸気口キャップ２内部に取り込むための開口部６を設けてある。水滴受け底ブタ４は蒸気口キャップ本体１から取り外すことができ、水滴受け底ブタに溜まった水を捨てることができ蒸気口キャップ内の洗浄もし易くしてある。【００１６】蒸気口キャップ本体１に取っ手５を設け、使用しないときは取っ手５をフック等に掛けて収納できるようにしてある。
【実施例】
【００１７】以上のように構成された蒸気口キャップは蒸気口キャップ本体１を電気炊飯器の蓋の蒸気口に覆うことで排出される蒸気は蒸気口キャップ２に取り込み側面の排出口３を通り横方向に排出され、収納棚等の上棚板を濡らすことがない。
【図面の簡単な説明】
【００１８】
【図１】本考案に係る蒸気口キャップの縦断面図である。
【図２】本考案に係る蒸気口キャップの下方向からの斜視図である。
【図３】本考案に係る蒸気口キャップの平面図である。
【符号の説明】
【００１９】１．蒸気口キャップ本体
２．蒸気口キャップ
３．排出口
４．水滴受け底ブタ
５．取っ手
６．水滴受け底ブタの開口部
【図１】
0003115216.tif 000003
【図２】
0003115216.tif 000004
【図３】
0003115216.tif 000005
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
電気炊飯器の蓋の蒸気口を覆う蒸気口キャップであって、蒸気口キャップの底面には蒸気を蒸気口キャップ内部に取り込む開口部６を備え、蒸気口キャップを電気炊飯器の蓋の蒸気口に開口部６が接するように覆い設置し蒸気口キャップ内部に吹き込まれる蒸気は蒸気口キャップ本体の側面に排出口３を設け排出する。
【請求項２】
排出口３は円筒形状とし、口径はスポンジブラシ等で洗浄ができる太さとし排出口の外に水滴が落ちないよう斜め上向きとし長さがあることを特徴とする請求項１記載の蒸気口キャップ。
【請求項３】
蒸気口キャップの底面には、水滴受け底ブタ４を設けることを特徴とする請求項１記載の蒸気口キャップ。
【請求項４】
水滴受け底ブタ４は、電気炊飯器の蓋の蒸気口から排出される蒸気を蒸気口キャップ内部に取り込むための開口部６を設け、水滴受け底ブタ４は蒸気口キャップ２から取り外せることを特徴とする請求項１記載の蒸気口キャップ。
【請求項５】
蒸気口キャップは透明で耐熱合成樹脂材料により形成されていることを特徴とする請求項１記載の蒸気口キャップ。
【請求項６】
蒸気口キャップは本体１に取っ手５を設けることを特徴とする請求項１記載の蒸気口キャップ。
(57)【要約】【課題】  本考案は内服薬をたて置くことができるようにした空間を設けた容器で、飲み忘れや誤薬を防ぎ、かつはさみを使用し、片手のみで開封できるようにする。【解決手段】  本考案は標準的な大きさの薬包が１〜４包程度入る空間のある容器で、ベッドサイドに設置することにより、飲み忘れを防ぎ、かつ配薬の際に再確認し誤薬を防止する。また、前面及び後面に傾斜をつけ、倒れにくくし、底面に滑り止めの布を貼付することにより、はさみを用いて片手で薬包を開封することができる。【選択図】    図３
0003115221.tif 000002
【実用新案登録請求の範囲】
【請求項１】
病院等で調合された薬包を、立て置くことのできる内服薬包用容器。
【考案の詳細な説明】
【技術分野】
【０００１】  本考案は、入院患者が薬を飲み忘れることを防ぎかつ、内服薬を立て置くことにより、片手のみではさみを用いて開封することができるようにした内服薬包用容器に関するものである。
【背景技術】
【０００２】  看護師は、入院患者に薬を配る際、特に決まった容器がないため、食事の盆の中や床頭台に置いたり、手渡ししている。また、片手の不自由な人は、自分で薬包を開封することができず、他人の力に頼ったり、なんとか口で破ったりしていた状態である。
【考案の開示】
【考案が解決しようとする課題】
【０００３】  看護師は複数の患者を受け持っているので、個々の患者が内服薬を確実に飲んだか、確認できないことがあった。また、薬包を開封するには、片手で薬包を持ち、もう片方の手で破ったり切ったりしなければならないため、片手の不自由な方は、自分で薬包を開封することが困難であった。
本考案は以上の欠点を解決するためになされたものである。
【課題を解決するための手段】
【０００４】  透明なプラスチックで、図１のような、標準的な大きさの薬包が１〜４包程度入る空間のある容器を作る。容器自体が倒れにくいように、前面及び後面に傾斜をつける。前面には紙の名札を挿入できる空間を作る。容器自体が置いた位置からずれないように底面には、滑り止めの布を貼付する。
【考案の効果】
【０００５】患者に、飲み終わった空の薬包を本容器に戻しておいてもらい、その空袋を看護師が回収することにより、患者が飲み忘れることを防ぎ、かつ内服したことを確認できる。看護師は、誤薬防止のために、細心の注意を払っているが、薬を配る際に、薬包に印字された氏名と、本考案の容器に挿入した名札の氏名を照らし合わせることにより、再確認することできる。また、この容器に薬包を入れることにより、薬包が立ったままの状態で動かないため片手が不自由であっても、はさみを使うことができれば、薬包を持たずとも、左右どちらからでも薬包を切りすすめ開封することができる。これは、患者にとって残存機能を少しでも活かすことができるという喜びにつながる。
【考案を実施するための最良の形態】
【０００６】  以下、本考案の実施の形態を説明する。透明なプラスチックで、図１のような容器Ａを設ける。１は、標準的な大きさの薬包４が１〜４包程度入る空間である。２は、紙の名札３を出し入れできる空間である。容器自体が倒れにくいように、前面及び後面に傾斜をつける。容器を置いた位置から、それ自体がずれないように、底面には滑り止めの布６を貼付する。使用するときは、患者氏名を書いた名札を２に挿入し、床頭台などに設置する。看護師は、薬を配る際に、薬包４に印字されている氏名と、本考案の容器に入った名札の氏名が一致していることを確認し、内服薬を本容器に入れる。片手が不自由な方でも、はさみ５を使える人は他人の手を借りずに薬包を開封することができる。飲み終わった空の薬包は、ごみ箱へ捨てずに、本考案の容器に戻しておいてもらい、患者が飲んだことを確認し看護師が回収する。
【図面の簡単な説明】
【０００７】
【図１】    本考案の斜視図である
【図２】    本考案の右側面図である。
【図３】    本考案の使用状態を示す斜視図である。
【符号の説明】
【０００８】  Ａ  容器
１  薬包を入れる空間
２  名札を入れる空間
３  名札
４  薬包
５  はさみ
６  滑り止めの布
【図１】
0003115221.tif 000003
【図２】
0003115221.tif 000004
【図３】
0003115221.tif 000005
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
透明なプラスチック容器（Ａ）に薬包が複数入る程度の空間（１）と紙の名札（３）を入れる空間（２）を設け、容器（Ａ）の底面に滑り止めの布（６）を貼付したことを特徴とする内服薬包用容器。
(57)【要約】      （修正有）【解決手段】機枠上１０に基盤材繰り出し用ホッパー１を搭載し基盤材の性質上発生する空洞化現象を崩すため上部に攪拌装置２．３を水平横向きに取付け中段に圧密状態の基盤材をほぐす攪拌装置４．５を左右水平横向き並行に格１セット取付け下部のスクリューコンベアー６．７により底部中央の排出口９に搬送排出する、その際排出口がホッパー底部中央にあるため基盤材の自然落下防止のためカバー８を設けた。【効果】基盤材繰り出し用ホッパーは自動化され１バッチ毎に作業員による棒突き作業も不要となり又、１バッチ毎の繰り出し量も適量均一となり施工品質の向上と安全性、省力化につながり有益である。【選択図】図１
0003115224.tif 000002
【実用新案登録請求の範囲】
【請求項１】
基盤材の特性により発生する空洞化現象を解消するため攪拌装置をホッパー上部に取付けた法面緑化吹付け基盤材繰り出し用ホッパー。
【請求項２】
請求項１記載のホッパーの中段部に攪拌装置を取付けて圧密状態になった基盤材をほぐす法面緑化吹付け基盤材繰り出し用ホッパー。
【請求項３】
請求項１．２．に記載のホッパー下部中央の排出口直上に取付けた、基盤材の自然落下防止用の屋根型カバーを有する法面緑化吹付け基盤材繰り出し用ホッパー。
【請求項４】
請求項１．２．３．に記載のホッパー下部に取付けた、羽根の向きを左右異にし、１本の回転軸に装着して両方向から基盤材を中央に集める機能を備えたスクリューコンベアーを有する法面緑化吹付け基盤材繰り出し用ホッパー。
【考案の詳細な説明】
【技術分野】
【０００１】  法面緑化工事において使用される基盤材であるバーク堆肥、木質破砕チップ等を自動的に繰り出すホッパーに関するものである。
【背景技術】
【０００２】  一般的に法面緑化工事において使用される基盤材であるバーク堆肥、木質破砕チップ等は繊維質のため比重が軽く材料どうしがからみあい流動性が悪く又、従来使用されている繰り出し用ホッパーは攪拌装置もなく、スクリューコンベアーが装置されているものの搬送距離が一方向に長く排出口もホッパー下部の両端、もしくは外側に設けたものが多く、このためスクリューコンベアーの空回りにより基盤材によるアーチアクションが発生しやすく１バッチごとに作業員がホッパー上部より棒等で搬送中のベルトコンベアー上に突き落とす作業がおこなわれている、このため排出量が均一でなく又、作業も危険を強いられていた。
【考案の開示】
【考案が解決しようとする課題】
【０００３】  基盤材の性質上やむを得ず作業員が高所で危険な作業に従事しており又、排出量も適量均一でなく施工品質の向上と人件費の削減、省力化、安全性の確保を目的とする。
【課題を解決するための手段】
【０００４】  そこで本考案は上記従来の課題を解決し、考案の目的を達成するため提供するものである。【０００５】  本考案の第一は機枠上に基盤材繰り出し用ホッパーを搭載しホッパー内上部に基盤材の性質上発生するアーチアクション防止用の攪拌軸、攪拌羽根を水平横向きに取付ける。【０００６】  本考案の第二は基盤材繰り出し用ホッパー内中段部に基盤材投入時の落下過重により圧密状態になった基盤材をほぐすための攪拌軸、攪拌羽根を水平横向き並行に格１セット取付ける。【０００７】  本考案の第三は排出口を基盤材繰り出し用ホッパー底部中央に設けたため基盤材の自然落下防止のため屋根型で屋根上部に基盤材が滞留しないよう鋭角な三角形のカバーを排出口直上に取付ける。【０００８】  本考案の第四は基盤材繰り出し用ホッパー下部に形成した樋形内底部に基盤材を中央排出口に搬送されるよう羽根の向きを異にし２分割したスクリューコンベアーを１本の回転軸に左右対称に取付け底部中央に設けた排出口よりほぐされた基盤材を、タイマーを具備したスイッチ盤により、適量均一に搬送中のベルトコンベアー上に排出することにより問題点を解決している。
【考案の効果】
【０００９】  本考案は以上の構成であるから、従来は作業員がつきっきりで作業していたものが吹付け基盤材を基盤材繰り出し用ホッパーに投入するだけであとは自動的に稼動するため上記の目的である作業の安全性、効率化、省力化、施工品質の向上が図れる。
【考案を実施するための最良の形態】
【０００１０】  機枠上１０の基盤材繰り出し用ホッパー１に基盤材を投入し上部の攪拌軸、攪拌羽根２．３を回転させ基盤材の特性から発生するアーチアクションを解消し基盤材を均等に中段部に落下させ中段に固定してある攪拌軸、攪拌羽根４．５で落下過重により圧密状態になった基盤材をほぐし下部のスクリューコンベアー６．７で基盤材を搬送し基盤材繰り出し用ホッパー底部中央に設けた排出口９直下の搬送中のベルトコンベアー上にタイマーで調整された適量を排出しこれと副材料を公知の吹付機械に投入しコンプレッサーの圧力で法面等に噴射し吹付けを行う、これにより基盤材繰り出し用ホッパーは自動化され１バッチ毎に作業員による棒突き作業も不要となり又、１バッチ毎の繰り出し量も適量均一となり施工品質の向上と安全性、省力化につながり有益である。
【実施例】
【００１１】  次に本考案の実施例を図面を以って説明する。図において１は基盤材繰り出し用ホッパー本体、２は発生したアーチアクションを解消すための上部攪拌軸、３はその軸に攪拌羽根を複数固定してある。４は投入された基盤材をほぐすための回転軸を水平横向き並行に二本と５の攪拌羽根をそれぞれ複数固定してある。【００１２】  ６と７はホッパー下部に設けた断面が凹溝の樋形内底部に羽根の向きを左右異し両方向から基盤材を底部中央に設けた排出口に搬送するよう水平横向きに取付けてある。【００１３】  ８は基盤材の自然落下防止のためのカバーで材料がカバー上部に滞留しないように屋根部分を鋭角な三角形の構造とし排出口直上に取付けた、９は排出口、１０は機枠、１１は上部攪拌軸２と中段部攪拌軸４と下部のスクリューコンベアー６と７を伝動機構で連動させる駆動モーター。【００１４】  １２は排出量を調節するタイマーを具備したスイッチ盤、１３は基盤材をホッパーに投入する運搬機、１４はホッパーから排出された基盤材を吹付機械まで搬送するベルトコンベアー、１５は吹付機械、１６はホッパー１と吹付機械１５を稼動させるための発電機、１７は吹付機械１５に圧力を加え吹付材料を噴射させるためのコンプレッサー１８は噴射ノズル。
【図面の簡単な説明】
【００１５】
【図１】法面緑化基盤材繰り出し用ホッパーの正面図。
【図２】図１の側面図。
【図３】緑化吹付工事の実施例
【符号の説明】
【００１６】  １  ホッパー本体
２  上部攪拌軸
３  上部攪拌羽根
４  中段攪拌軸
５  中段攪拌羽根
６  スクリューコンベアー
７  スクリューコンベアー
８  落下防止カバー
９  排出口
１０  機枠
１１  駆動モーター
１２  スイッチ盤
１３  タイヤショベル
１４  ベルトコンベアー
１５  吹付機械
１６  発電機
１７  コンプレッサー
１８  噴射ノズル
【図１】
0003115224.tif 000003
【図２】
0003115224.tif 000004
【図３】
0003115224.tif 000005
(57)【要約】      （修正有）【課題】包丁を握り人差指を刃の峰にあてがえ指先に力を入れなければ安定しない、その時に損傷等を受けやすい。【解決手段】包丁の刃元の峰部分に包丁押え治具を取付け使用することにより防ぐことが出来る。【選択図】図３
0003115227.tif 000002
【実用新案登録請求の範囲】
【請求項１】
（調理用具）包丁１の刃元、峰の部分に押え治具２を取付け使用する。包丁を握りきしめ、人差指先を押えることによる損傷等を防ぎ安全な作業を行うことが出来る。
【請求項２】
押え治具は伸縮により刃に固定されるもので一種類で包丁の厚さに対応出来る。
材質は食品に対して無害なもので製作する必要あり、尚、治具の長さは必要に応じて自由に切断出来るものとする。
【考案の詳細な説明】
【技術分野】
【０００１】（調理用具）包丁押え治具
【背景技術】
【０００２】
【考案開示】
【考案が解決しようとする課題】
包丁、使用時に発生するトラブル、特に指の損傷。
【課題を解決するための手段】
包丁の刃の峰に包丁押え治具を取付け使用する。
【考案の効果】
包丁を使用する際の人差指先指が包丁押え治具により守られ痛みがなく安定度が増す。特に薄刃には効果を発揮する。
【考案を実施するための最良の形態】包丁押え治具を包丁の峰の刃先より挟み、刃元までスライドさせて取付ける。
【実施例】包丁を人差指先で押えて使用しても痛くない。
【産業上の利用可能性】調理用具製造会社にて包丁押え治具（考案品）を包丁にセットして市場に出すか、包丁押え治具（考案品）を単体の商品として市場に出す。
【図面の簡単な説明】第１図は包丁を横に伏せて置いた状態に包丁押え治具（考案品）を取付けた平面図である。第２図は包丁を立て刃先から見下ろした平面図である。第３図は包丁押え治具（考案品）を取付けた包丁である。【図１】 
【符号の説明】
１・・・・包丁（柄・刃）
２・・・・包丁押え治具（考案品）
【図１】
0003115227.tif 000003
【図２】
0003115227.tif 000004
【図３】
0003115227.tif 000005
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
馬蹄形の断面を有する筒状の形をした治具を包丁の刃元峰に取付ける構造を有する包丁押え治具。